(57)【特許請求の範囲】
【請求項１】
第１の通信デバイスを動作させる方法であって、
接続識別送信ユニットのセットの少なくとも一部に対応する、ローカルに利用可能な接続識別子を、前記接続識別送信ユニットのセットの少なくとも一部で受信された電力に基づいて識別することと、なお、前記ローカルに利用可能な接続識別子は要求送信ユニットにマッピングされる、
前記要求送信ユニットの１以上のグループのそれぞれについて干渉推定値を決定することと、なお、前記要求送信ユニットの１以上のグループのそれぞれは、互いに異なるシンボル送信時間間隔に対応する、
前記識別されたローカルに利用可能な接続識別子から、１つの接続識別子を選択することと、なお、前記１つの接続識別子は、許容可能な決定された干渉推定値を有する要求送信ユニットの１以上のグループにおける１つの要求送信ユニットに相当する、
前記選択された接続識別子に基づいて送信することと、
を備える方法。
【請求項２】
前記許容可能な決定された干渉推定値は、干渉閾値レベルを下回る、請求項１に記載の方法。
【請求項３】
前記許容可能な決定された干渉推定値は、最低の決定された干渉推定値である、請求項１に記載の方法。
【請求項４】
前記接続識別送信ユニットのセットの少なくとも一部において受信された前記電力を測定することを更に備える、請求項１に記載の方法。
【請求項５】
前記選択された接続識別子は候補接続識別子であり、
前記第１の通信デバイスとの通信接続を有する第２の通信デバイスへ、前記選択された接続識別子を送信することを更に備える、請求項４に記載の方法。
【請求項６】
前記選択された接続識別子は、選択された候補接続識別子のセットの一部として送信される、請求項５に記載の方法。
【請求項７】
前記第１の通信デバイスとの通信接続を有する第２の通信デバイスから１以上の候補接続識別子を受信することを更に備え、
前記識別されたローカルに利用可能な接続識別子から前記接続識別子を選択することは、前記受信された１以上の候補接続識別子のうちの前記１つの接続識別子を選択することを含む、請求項４に記載の方法。
【請求項８】
接続識別送信ユニットのセットの少なくとも一部に対応する、ローカルに利用可能な接続識別子を、前記接続識別送信ユニットのセットの少なくとも一部で受信された電力に基づいて識別し、なお、前記ローカルに利用可能な接続識別子は、要求送信ユニットにマッピングされる、
前記要求送信ユニットの１以上のグループのそれぞれについて干渉推定値を決定し、なお、前記要求送信ユニットの１以上のグループのそれぞれは、互いに異なるシンボル送信時間間隔に対応する、
前記識別されたローカルに利用可能な接続識別子から、１つの接続識別子を選択し、なお、前記１つの接続識別子は、許容可能な決定された干渉推定値を有する要求送信ユニットの１以上のグループにおける１つの要求送信ユニットに相当する、
前記選択された接続識別子に基づいて送信する、
ように構成された少なくとも１つのプロセッサと、
前記少なくとも１つのプロセッサに結合されたメモリと、
を備える第１の通信デバイス。
【請求項９】
前記許容可能な決定された干渉推定値は、干渉閾値レベルを下回る、請求項８に記載の第１の通信デバイス。
【請求項１０】
前記許容可能な決定された干渉推定値は、最低の決定された干渉推定値である、請求項８に記載の第１の通信デバイス。
【請求項１１】
前記少なくとも１つのプロセッサは更に、
前記接続識別送信ユニットのセットの少なくとも一部において受信された前記電力を測定するように構成された、請求項８に記載の第１の通信デバイス。
【請求項１２】
前記選択された接続識別子は候補接続識別子であり、
前記少なくとも１つのプロセッサは更に、
前記第１の通信デバイスとの通信接続を有する第２の通信デバイスへ、前記選択された接続識別子を送信するように構成された、請求項１１に記載の第１の通信デバイス。
【請求項１３】
前記選択された接続識別子は、選択された候補接続識別子のセットの一部として送信される、請求項１２に記載の第１の通信デバイス。
【請求項１４】
前記少なくとも１つのプロセッサは更に、
前記第１の通信デバイスとの通信接続を有する第２の通信デバイスから１以上の候補接続識別子を受信するように構成され、
前記少なくとも１つのプロセッサは、前記受信された１つ以上の候補接続識別子のうちの接続識別を、受信された１以上の候補接続識別子の１つとして選択する、請求項１１に記載の第１の通信デバイス。
【請求項１５】
接続識別送信ユニットのセットの少なくとも一部に対応する、ローカルに利用可能な接続識別子を、前記接続識別送信ユニットのセットの少なくとも一部で受信された電力に基づいて識別するための手段と、なお、前記ローカルに利用可能な接続識別子は、要求送信ユニットにマッピングされる、
前記要求送信ユニットの１以上のグループのそれぞれについて干渉推定値を決定するための手段と、なお、前記要求送信ユニットの１以上のグループのそれぞれは、互いに異なるシンボル送信時間間隔に対応する、
前記識別されたローカルに利用可能な接続識別子から、１つの接続識別子を選択するための手段と、なお、前記１つの接続識別子は、許容可能な決定された干渉推定値を有する要求送信ユニットの１以上のグループにおける１つの要求送信ユニットに相当する、
前記選択された接続識別子に基づいて送信するための手段と、
を備える第１の通信デバイス。
【請求項１６】
前記利用可能な決定された干渉推定値は、干渉閾値レベルを下回る、請求項１５に記載の第１の通信デバイス。
【請求項１７】
前記利用可能な決定された干渉推定値は、最低の決定された干渉推定値である、請求項１５に記載の第１の通信デバイス。
【請求項１８】
前記接続識別送信ユニットのセットの少なくとも一部において受信された前記電力を測定するための手段を更に備える、請求項１５に記載の第１の通信デバイス。
【請求項１９】
前記選択された接続識別子は候補接続識別子であり、
前記第１の通信デバイスとの通信接続を有する第２の通信デバイスへ、前記選択された接続識別子を送信するための手段を更に備える、請求項１８に記載の第１の通信デバイス。
【請求項２０】
前記選択された接続識別子は、選択された候補接続識別子のセットの一部として送信される、請求項１９に記載の第１の通信デバイス。
【請求項２１】
前記第１の通信デバイスとの通信接続を有する第２の通信デバイスからの１以上の候補接続識別子を受信するための手段を更に備え、
前記識別されたローカルに利用可能な接続識別子から接続識別子を選択するための手段は、前記受信された１以上の候補接続識別子のうちの１つである接続識別子を選択するための手段を含む、請求項１８に記載の第１の通信デバイス。
【請求項２２】
プロセッサによって実行されると、前記プロセッサに、接続識別送信ユニットのセットの少なくとも一部に対応する、ローカルに利用可能な接続識別子を、前記接続識別送信ユニットのセットの少なくとも一部で受信された電力に基づいて識別させるためのコードと、なお、前記ローカルに利用可能な接続識別子は、要求送信ユニットにマッピングされる、
前記要求送信ユニットの１以上のグループのそれぞれについて干渉推定値を決定させるためのコードと、なお、前記要求送信ユニットの１以上のグループのそれぞれは、互いに異なるシンボル送信時間間隔に対応する、
前記識別されたローカルに利用可能な接続識別子から、１つの接続識別子を選択させるためのコードと、なお、前記１つの接続識別子は、許容可能な決定された干渉推定値を有する要求送信ユニットの１以上のグループにおける１つの要求送信ユニットに相当する、
前記選択された接続識別子に基づいて送信させるためのコードと、
を備えるコンピュータプログラム。
【請求項２３】
前記利用可能な決定された干渉推定値は、干渉閾値レベルを下回る、請求項２２に記載のコンピュータプログラム。
【請求項２４】
前記利用可能な決定された干渉推定値は、最低の決定された干渉推定値である、請求項２２に記載のコンピュータプログラム。
【請求項２５】
前記プロセッサに、前記接続識別送信ユニットのセットの少なくとも一部において受信された前記電力を測定させるためのコードを更に備える、請求項２２に記載のコンピュータプログラム。
【請求項２６】
前記選択された接続識別子は候補接続識別子であり、
前記プロセッサに、前記第１の通信デバイスとの通信接続を有する第２の通信デバイスへ、前記選択された接続識別子を送信させるためのコードを更に備える、請求項２５に記載のコンピュータプログラム。
【請求項２７】
前記選択された接続識別子は、選択された候補接続識別子のセットの一部として送信される、請求項２６に記載のコンピュータプログラム。
【請求項２８】
前記プロセッサに、前記第１の通信デバイスとの通信接続を有する第２の通信デバイスからの１以上の候補接続識別子を受信させるためのコードと、
前記プロセッサに、前記識別されたローカルに利用可能な接続識別子から１つの接続識別子を選択するとき、前記１つの接続識別子を１以上の候補接続識別子のうちの１つとして選択させるためのコードと、
を更に備える、請求項２７に記載のコンピュータプログラム。
【発明の詳細な説明】
【技術分野】
【０００１】
種々の実施形態は、無線通信に関し、特に、ピア・ツー・ピア通信に関連した方法及び装置に関する。
【背景技術】
【０００２】
集中制御を欠いた無線通信システムにおいて、トラヒック・セグメントのスケジューリングは、困難なタスクとなりうる。所与の時間に、システム内の異なる場所で、異なる無線端末は、ローカルに利用可能な接続識別子、ローカルに利用可能なエア・リンク・リソース、及び／又は干渉の考慮に関して、異なる観点を有することがある。接続識別子を取得しようとしている無線端末が、接続識別子を単純にランダムに選択するアプローチを用いると、衝突を招きやすくなり、その結果、エア・リンク・リソースが非効率的に使用されてしまう。接続識別子を取得しようとしている無線端末が、自身のローカル近傍で現在用いられている接続識別子を状況に応じて知ることができれば望ましい。
【０００３】
上記説明に基づいて、調整された干渉管理を提供するように、接続識別子の識別及び選択をサポートする方法及び装置へのニーズがある。
【発明の概要】
【０００４】
無線通信システムにおける、例えばトラヒック・セグメントのようなエア・リンク・リソースのスケジューリングに関する方法及び装置が説明される。説明される様々な方法及び装置は、例えばアド・ホック・ピア・ツー・ピア・ネットワークのような、トラヒック・スケジューリングが集中化されていない無線ピア・ツー・ピア・ネットワークに良く適応する。いくつかの実施形態において、ピア・ツー・ピア・トラヒック信号を通信することを所望する無線端末は、トラヒック送信要求エア・リンク・リソースに関連付けられた接続識別子を取得する。様々な方法及び装置は、無線端末による接続識別子の取得及び／又は選択に向けられる。
【０００５】
いくつかの実施形態において、接続識別子を取得しようとしている無線端末は、ローカルに利用可能な接続識別子を識別し、識別されたローカルに利用可能な接続識別子のうちの少なくともいくつかに関連する干渉推定値を決定し、識別されたローカルに利用可能な接続識別子から接続識別子を選択する。
【０００６】
いくつかの実施形態において、エア・リンク・リソースは、各接続識別子が要求送信ユニットへの１対１のマッピングを有するように構成される。要求送信ユニットは複数のグループに構成され、各グループは、同一のトラヒック・スロットに関して異なるシンボル時間間隔において発生する。そのような実施形態において、グループ毎ベースで干渉推定値を決定することが役立つだろう。
【０００７】
いくつかの実施形態において、第１の通信デバイスを動作させる典型的な方法は、接続識別送信ユニットのセットにおける個々の接続識別送信ユニットにおいて受信された電力に基づいて、接続識別子のセットから、ローカルに利用可能な接続識別子を識別することと、識別されたローカルに利用可能な接続識別子を有するグループについて、干渉推定値を決定することとを含む。典型的な方法は更に、許容可能な決定された干渉推定値を有するグループに属する識別されたローカルに利用可能な接続識別子から接続識別子を選択することを含む。
【０００８】
いくつかの実施形態に従う典型的な第１の通信デバイスは、接続識別送信ユニットのセットにおける個々の接続識別送信ユニットにおいて受信された電力に基づいて、接続識別子のセットから、ローカルに利用可能な接続識別子を識別し、識別されたローカルに利用可能な接続識別子を有する各グループについて、干渉推定値を決定し、許容可能な決定された干渉推定値を有するグループに属する識別されたローカルに利用可能な接続識別子から接続識別子を選択するように構成された、少なくとも１つのプロセッサを含む。典型的な第１の通信デバイスは更に、上記少なくとも１つのプロセッサに結合されたメモリを含む。
【０００９】
上記概要において様々な実施形態を説明したが、必ずしも全ての実施形態が同じ特徴を含むのではなく、上述した特長のうちのいくつかは、いくつかの実施形態において必ずしも必要ではないがあると望ましい、ということが理解されるべきである。様々な実施形態の多数の更なる特徴、実施形態、及び利点が、以下の詳細な説明において記述される。
【図面の簡単な説明】
【００１０】
【図１】図１は、典型的な実施形態に従う、例えばアド・ホック通信ネットワークのような典型的なピア・ツー・ピア・ネットワークの図である。
【図２】図２は、典型的な実施形態に従う第１の通信デバイスを動作させる典型的な方法のフローチャートである。
【図３】図３は、典型的な実施形態に従う典型的な第１の通信デバイスの図である。
【図４】図４は、図３に示す第１の通信デバイスにおいて用いられることができ、いくつかの実施形態では用いられるモジュールの集合である。
【図５】図５は、典型的な実施形態に従う典型的な反復ピア・ツー・ピア・タイミング／周波数構成を示す図である。
【図６】図６は、典型的な実施形態に従う典型的なトラヒック・スロット・エア・リンク・リソース６０２を示す図である。
【図７】図７は、典型的な接続識別子エア・リンク・リソース及び２つの対応するトラヒック・スロット送信要求ブロック・エア・リンク・リソースを示す図である。
【図８】図８は、接続識別子を取得しようとしている通信デバイスによって検出され測定された典型的な接続識別ブロードキャスト信号を示す図である。
【図９】図９は、２つの無線端末が接続識別子の選択に参加している接続取得の例を示す図である。
【発明の詳細な説明】
【００１１】
図１は、典型的な実施形態に従う、たとえばアド・ホック通信ネットワークのような典型的なピア・ツー・ピア・ネットワーク１００の図である。典型的なネットワークは、例えばモバイル無線端末のような通信デバイスによってシグナリングされるピア・ツー・ピア・トラヒックをサポートする。典型的なネットワーク１００は、スロット毎ベースで、例えばセグメントのようなトラヒック・エア・リンク・リソースの非集中型スケジューリングをサポートする。典型的なピア・ツー・ピア・ネットワーク１００は、ピア・ツー・ピア・トラヒック・シグナリングをサポートする複数の無線デバイス（無線端末１  １０２、無線端末２  １０４、無線端末３  １０６、無線端末４  １０８、無線端末５  １１０、無線端末６  １１２、無線端末７  １１４、・・・、無線端末Ｎ１１６）を含む。いくつかの実施形態において、ネットワーク１００は、例えばビーコン送信機のような基準信号送信機１１８を含む。通信ネットワーク１００内の無線デバイス（１０２、１０４、１０６、１０８、１１０、１１２、１１４、・・・、１１６）は、例えばピア・ツー・ピア接続のような接続を互いに確立し、取得した接続識別子情報をブロードキャストし、ローカルに利用可能な接続識別子を識別し、干渉情報を決定し、接続識別子を選択し、トラヒック送信要求信号を生成及び送信し、トラヒック送信要求信号を受信及び処理し、決定を下すよう受信機に促し、トラヒック送信要求応答信号を生成及び送信し、トラヒック送信要求応答信号を受信及び処理し、決定を下すよう送信機に促し、ピア・ツー・ピア・トラヒック信号を受信し、ピア・ツー・ピア・トラヒック信号を送信することができる。無線端末のうちの、例えば無線端末７  １１４のようないくつかは、バックホール・ネットワークを介して無線端末を他のノード及び／又はインターネットに結合するための有線インタフェースも含む。
【００１２】
ネットワーク１００内で用いられる反復タイミング構成を示す。様々な実施形態において、接続識別子は、要求送信ユニットへの１対１のマッピングを有する。要求送信ユニットは、複数のグループに構成され、各グループは、所与のトラヒック・スロットに関して異なるシンボル送信時間間隔において発生する。このような構成により、グループ・ベースの干渉評価及び干渉比較が容易になる。
【００１３】
いくつかの実施形態において、例えば基準信号送信機１１８からのＯＦＤＭビーコン信号のような基準信号は、タイミング構成に関して同期するために無線デバイスによって用いられる。あるいは、タイミング構成と同期するために用いられる信号は、例えばＧＰＳ送信機のような別の送信機、基地局、又は別のピア・ツー・ピア・デバイスから調達されうる。ネットワーク内で用いられるタイミング構成は、複数の個々のトラヒック・スロットを含む。
【００１４】
図１において、無線端末１  １０２は、無線端末３  １０６との現在のピア・ツー・ピア接続１２０を有し、接続識別子２は、ボックス１２２によって示されるように接続１２０に関連付けられている。無線端末７  １１４は、無線端末５  １１０との現在のピア・ツー・ピア接続１２４を有し、接続識別子７は、接続１２４に関連付けられている。無線端末４  １０８は、無線端末６  １１２と確立しようとしている接続１２８のための接続識別子を取得しようとしている。異なる時間に、ネットワーク１００内で異なる接続が存在することができ、異なる無線端末は、新しい接続を確立し、新しい接続識別子を取得しようとすることができる。
【００１５】
図２は、典型的な実施形態に従う第１の通信デバイスを動作させる典型的な方法のフローチャート２００である。典型的な方法の動作は、ステップ２０２で開始し、ここで第１の通信デバイスが、電源を入れられ、初期化され、ステップ２０４へ進む。
【００１６】
ステップ２０４において、第１の通信デバイスは、接続識別送信ユニットのセットのうちの各々において受信された電力を測定する。上記接続識別送信ユニットのセットにおける各送信ユニットは、接続識別子のセットにおける異なる接続識別子に対応している。動作は、ステップ２０４からステップ２０６へ進む。
【００１７】
ステップ２０６において、第１の通信デバイスは、個々の接続識別送信ユニットにおいて受信された電力に基づいて、上記接続識別子のセットから、ローカルに利用可能な接続識別子を識別する。いくつかの実施形態において、上記ローカルに利用可能な接続識別子の各々は、要求送信ユニットへの１対１のマッピングを有する。いくつかのそのような実施形態において、要求送信ユニットは複数のグループに構成され、各グループは、異なるシンボル送信時間間隔において発生する。動作は、ステップ２０６からステップ２０８へ進む。
【００１８】
ステップ２０８において、第１の通信デバイスは、識別されたローカルに利用可能な接続識別子を有する各グループについて、干渉推定値を決定する。動作は、実行又は選択された選択肢によって、ステップ２０８からステップ２１０又はステップ２１４へ進む。
【００１９】
ステップ２１０において、第１の通信デバイスは、許容可能な決定された干渉推定値を有するグループに属する、識別されたローカルに利用可能な接続識別子から、接続識別子を選択する。いくつかの実施形態において、決定された干渉推定値は、それが干渉閾値レベルを下回る場合に許容可能である。いくつかの実施形態において、決定された干渉推定値は、それが最低の決定された干渉推定値である場合に許容可能である。いくつかの実施形態において、ステップ２１０の選択された接続識別子は、候補接続識別子である。動作は、ステップ２１０からステップ２１２へ進み、ここで第１の通信デバイスは、第１の通信デバイスとの通信接続を有する第２の通信デバイスへ、選択された接続識別子を送信する。いくつかの実施形態において、ステップ２１０の選択された接続識別子は、第２の通信デバイスへ送信される、選択された候補接続識別子のセットの一部として送信される。
【００２０】
ステップ２１４において、第１の通信デバイスは、第１の通信デバイスとの通信接続を有する第２の通信デバイスからの１つ又は複数の候補接続識別子を受信する。ステップ２１６において、第１の通信デバイスは、許容可能な決定された干渉推定値を有するグループに属する、識別されたローカルに利用可能な接続識別子から、接続識別子を選択する。いくつかの実施形態において、決定された干渉推定値は、それが干渉閾値レベルを下回る場合に許容可能である。いくつかの実施形態において、決定された干渉推定値は、それが最低の決定された干渉推定値である場合に許容可能である。様々な実施形態において、ステップ２１６の接続識別子の選択は、受信された１つ又は複数の候補接続識別子のうちの１つである接続識別子を選択することを含む。
【００２１】
図３は、典型的な実施形態に従う典型的な第１の通信デバイス３００の図である。典型的な第１の通信デバイス３００は、例えば、ピア・ツー・ピア通信をサポートし、図２のフローチャート２００に従って方法を実行する無線通信デバイスである。
【００２２】
第１の通信デバイス３００は、様々な要素（３０２、３０４）がデータ及び情報を交換することができるバス３０６を介して互いに結合された、プロセッサ３０２及びメモリ３０４を含む。第１の通信デバイス３００は更に、図示されたようにプロセッサ３０２に結合されうる入力モジュール３０８及び出力モジュール３１０を含む。しかし、いくつかの実施形態において、入力モジュール３０８及び出力モジュール３１０は、プロセッサ３０２の内部に位置づけられる。入力モジュール３０８は、入力信号を受信することができる。入力モジュール３０８は、入力を受信するための有線入力インタフェース又は光入力インタフェース及び／又は無線受信機を含むことができ、いくつかの実施形態においては、それらを含む。出力モジュール３１０は、出力を送信するための有線出力インタフェース又は光出力インタフェース及び／又は無線送信機を含むことができ、いくつかの実施形態においては、それらを含む。プロセッサ３０２は、接続識別送信ユニットのセットにおける個々の接続識別送信ユニットにおいて受信された電力に基づいて、接続識別子のセットから、ローカルに利用可能な接続識別子を識別し、識別されたローカルに利用可能な接続識別子を有する各グループについて、干渉推定値を決定し、許容可能な決定された干渉推定値を有するグループに属する、識別されたローカルに利用可能な接続識別子から、接続識別子を選択するように構成される。
【００２３】
いくつかの実施形態において、上記ローカルに利用可能な接続識別子の各々は、要求送信ユニットへの１対１マッピングを有する。いくつかのそのような実施形態において、要求送信ユニットは複数のグループに構成され、各グループは、異なるシンボル送信時間間隔で発生する。
【００２４】
いくつかの実施形態において、決定された干渉推定値は、それが干渉閾値レベルを下回る場合に許容可能である。いくつかの実施形態において、決定された干渉推定値は、それが最低の決定された干渉推定値である場合に許容可能である。様々な実施形態において、プロセッサはさらに、ローカルに利用可能な接続識別子を識別する前に、上記接続識別送信ユニットのセットの各々において受信された電力を測定するように構成される。上記接続識別送信ユニットのセットにおける各送信ユニットは、上記接続識別子のセットにおける異なる接続識別子に対応している。
【００２５】
いくつかの実施形態において、上記選択された接続識別子は、候補接続識別子であり、プロセッサ３０２は更に、上記第１の通信デバイスとの通信接続を有する第２の通信デバイスへ、選択された接続識別子を送信するように構成される。いくつかのそのような実施形態において、プロセッサは、選択された接続識別子を、選択された候補接続識別子のセットの一部として送信するように構成される。
【００２６】
いくつかの実施形態において、プロセッサ３０２は更に、上記第１の通信デバイスとの通信接続を有する第２の通信デバイスからの１つ又は複数の候補接続識別子を受信し、識別されたローカルに利用可能な接続識別子から接続識別子を選択する際、受信された１つ又は複数の候補接続識別子のうちの１つである接続識別子を選択するように構成される。
【００２７】
図４は、図３に示された第１の通信デバイス３００において用いられることができ、いくつかの実施形態においては用いられる、モジュールの集合４００である。集合４００内のモジュールは、例えば個々の回路として、図３のプロセッサ３０２内のハードウェアによって実現されうる。あるいはモジュールは、ソフトウェアによって実現され、図３に示された第１の通信デバイス３００のメモリ３０４内に格納されることもできる。図３では、実施形態を例えばコンピュータのような単一のプロセッサとして示したが、プロセッサ３０２は、例えば複数のコンピュータのような１つ又は複数のプロセッサとして実現されうることが理解されるべきである。ソフトウェアによって実現される場合、モジュールは、プロセッサによって実行されると、例えばコンピュータのようなプロセッサ３０２がモジュールに対応する機能を実行するように設定するコードを含む。モジュールの集合４００がメモリ３０４内に格納されている実施形態において、メモリ３０４は、例えばプロセッサ３０２のような少なくとも１つのコンピュータに、モジュールが対応する機能を実行させる、例えば各モジュールのための個々のコードのようなコードを備えるコンピュータ読取可能媒体を備えたコンピュータ・プログラム製品である。
【００２８】
完全にハードウェア・ベースのモジュール又は完全にソフトウェア・ベースのモジュールを用いることができる。しかし、ソフトウェア・モジュールと（例えば回路による実現される）ハードウェア・モジュールとの任意の組み合わせが、機能を実行するために用いられうることが理解されるべきである。理解されるように、図４に示されたモジュールは、図２の方法フローチャート２００に示された対応するステップの機能を実行するように、第１の通信デバイス３００又はその中の例えばプロセッサ３０２のような要素を制御及び／又は設定する。
【００２９】
図４に示すように、モジュール４００の集合は、各送信ユニットが接続識別子のセットのうちの異なる接続識別子に対応している接続識別送信ユニットのセットの各々において受信された電力を測定するためのモジュール４０２と、接続識別送信ユニットのセットにおける個々の接続識別送信ユニットにおいて受信された電力に基づいて、上記接続識別子のセットからローカルに利用可能な接続識別子を識別するためのモジュール４０４と、識別されたローカルに利用可能な接続識別子を有する各グループについて、干渉推定値を決定するためのモジュール４０６と、許容可能な決定された干渉推定値を有するグループに属する、識別されたローカルに利用可能な接続識別子から、接続識別子を選択するためのモジュール４０８とを含む。
【００３０】
いくつかの実施形態において、上記ローカルに利用可能な接続識別子の各々は、要求送信ユニットへの１対１のマッピングを有する。いくつかの実施形態において、要求送信ユニットは、複数のグループに構成される。いくつかのそのような実施形態において、各グループは、例えば、同一のトラヒック・スロットに対応して、異なるシンボル送信時間間隔において発生する。
【００３１】
様々な実施形態において、モジュール４０２の集合は、上記第１の通信デバイスとの通信接続を有する第２の通信デバイスへ、選択された接続識別子を送信するためのモジュール４１０と、上記第１の通信デバイスとの通信接続を有する第２の通信デバイスからの１つ又は複数の候補接続識別子を受信するためのモジュール４１２とのうちの１つ又は複数を含む。様々な実施形態において、モジュール４０８は、受信された１つ又は複数の候補接続識別子のうちの１つである接続識別子を選択するためのモジュール４１４を含む。
【００３２】
いくつかの実施形態において、決定された干渉推定値は、それが干渉閾値レベルを下回る場合に許容可能である。いくつかの実施形態において、決定された干渉推定値は、それが最低の決定された干渉推定値である場合に許容可能である。
【００３３】
いくつかの実施形態において、モジュール４０８からの選択された接続識別子は、候補接続識別子である。いくつかのそのような実施形態において、モジュール４０８からの選択された接続識別子は、選択された候補接続識別子のセットの一部として、モジュール４０８によって送信される。
【００３４】
図５は、典型的な実施形態に従う典型的な反復ピア・ツー・ピア・タイミング／周波数構成を示す図５００である。横軸５０２は時間を表し、縦軸５０４は周波数を表す。反復ピア・ツー・ピア・タイミング／周波数構成の２つのイテレーションが図示される。第１のイテレーション５０６に対応する時間間隔の間には、接続識別（ＣＩＤ）ブロードキャスト・エア・リンク・リソース５１０と、複数のトラヒック・スロット・エア・リンク・リソース（トラヒック・スロット１エア・リンク・リソース５１２、トラヒック・スロット２エア・リンク・リソース５１４、トラヒック・スロット３エア・リンク・リソース５１６、・・・、トラヒック・スロットＮエア・リンク・リソース５１８）とがある。同様に、第２のイテレーション５０８に対応する時間間隔の間には、接続識別（ＣＩＤ）ブロードキャスト・エア・リンク・リソース５２０と、複数のトラヒック・スロット・エア・リンク・リソース（トラヒック・スロット１エア・リンク・リソース５２２、トラヒック・スロット２エア・リンク・リソース５２４、トラヒック・スロット３エア・リンク・リソース５２６、・・・、トラヒック・スロットＮエア・リンク・リソース５２８）とがある。例えば間隔５３０のようなトラヒック時間スロット間隔は、例えば持続期間２ミリ秒であるが、反復タイミング構成のイテレーションは、例えば持続期間１秒である。
【００３５】
図６は、典型的な実施形態に従う典型的なトラヒック・スロット・エア・リンク・リソース６０２を示す図６００である。図６のトラヒック・スロット・エア・リンク・リソース６０２は、例えば図５のトラヒック・スロット・エア・リンク・リソース（５１２、５１４、５１６、５１８、５２２、５２４、５２６、５２８）のうちの１つである。トラヒック・スロット・エア・リンク・リソース６０２は、トラヒック・セグメント６１２内の送信トラヒックへ送信要求を伝達するための送信要求ブロック・エア・リンク・リソース６０２と、意図された受信機の観点からの了承を示す要求応答信号を、トラヒック・セグメント６１２内の送信トラヒック信号へ伝達するための送信要求応答ブロック・エア・リンク・リソース６０６とを含む。ＴＸ要求ブロック・エア・リンク・リソース６０４及びＴＸ要求応答ブロック・エア・リンク・リソース６０６は、トラヒック・セグメント６１２に対応するユーザ・スケジューリング・エア・リンク・リソースであると考えられる。トラヒック・スロット・エア・リンク・リソース６０２はまた、チャネル状態及びチャネル品質を評価するために用いられるパイロット信号を送信するために、トラヒック・セグメント６１２内のトラヒック信号の意図された送信機によって用いられるパイロット・シグナリング・リソース６０８、及び／又は、例えばトラヒック・セグメント６１２内で用いられるデータ・レートを指定、決定、又は導出するために用いられるデータ・レート信号又は品質インジケータ信号のような信号を送信するために、トラヒック・セグメント６１２内のトラヒックの意図された受信機によって用いられるデータ・レート・シグナリング・エア・リンク・リソースを含む。パイロット・シグナリング・リソース６０８と、チャネル品質及び／又はデータ・レート・シグナリング・リソース６１０とは、トラヒック・セグメント６１２に対応するレート・スケジューリング・エア・リンク・リソースであると考えられる。トラヒック・スロット・エア・リンク・リソース６０２はまた、例えばピア・ツー・ピア・トラヒック信号のようなトラヒック信号を搬送するために用いられるトラヒック・セグメント６１２と、トラヒック・セグメント６１２内で通信されているトラヒックに関する肯定応答信号及び／又は否定応答信号を搬送するために用いられるトラヒック・アクノレッジメント・エア・リンク・リソース６１４とを含む。
【００３６】
図７は、典型的なＣＩＤリソース７０２と、２つの対応するトラヒック・スロット送信要求ブロック・エア・リンク・リソース（トラヒック・スロット１送信要求ブロック７０４、トラヒック・スロットＮ送信要求ブロック７０６）とを示す図７００である。ＣＩＤリソース７０２は例えば、図５のＣＩＤブロードキャスト・エア・リンク・リソース５１０である。トラヒック・スロット１送信要求ブロック７０４は、例えば図５のトラヒック・スロット１エア・リンク・リソース５１２に含まれる送信要求ブロックであり、トラヒック・スロットＮ送信要求ブロック７０６は、例えば図５のトラヒック・スロットＮエア・リンク・リソース５１８に含まれる送信要求ブロックである。
【００３７】
ＣＩＤリソース７０２は、接続識別送信ユニットのセットを含み、上記接続識別送信ユニットのセットにおける各送信ユニットは、接続識別子のセットにおける異なる接続識別子に対応している。この例において、３０の異なる接続識別子（ＣＩＤ１、ＣＩＤ２、・・・、ＣＩＤ３０）に対応する３０の接続識別送信ユニットのセットがある。ＣＩＤは複数のグループのうちの１つに関連付けられ、複数のグループのうちの各々のグループは、トラヒック・スロットに関して同一の送信要求シンボルにおける要求応答リソースのセットに対応する。
【００３８】
この例において、６つのグループがある。グループＡはＣＩＤ１乃至５を含み、グループＢはＣＩＤ６乃至１０を含み、グループＣはＣＩＤ１１乃至１５を含み、グループＤはＣＩＤ１６乃至２０を含み、グループＥはＣＩＤ２１乃至２５を含み、グループＦはＣＩＤ２６乃至３０を含む。この例において、グループＡ及びグループＢに対応するＣＩＤ送信ユニットは、ＣＩＤリソース・ブロック７０２の第１のＯＦＤＭシンボル・リソース７０８において発生し、グループＣ及びグループＤに対応するＣＩＤ送信ユニットは、ＣＩＤリソース・ブロック７０２の第２のＯＦＤＭシンボル・リソース７１０において発生し、グループＥ及びグループＦに対応するＣＩＤ送信ユニットは、ＣＩＤリソース・ブロック７０２の第３のＯＦＤＭシンボル・リソース７１２において発生する。ＣＩＤリソース７０２における特定の接続識別送信ユニットの実際のロケーションは、特定のリソースのグループへのマッピングを通信デバイスが認識している限り、重要ではない。現在持続中の接続に対応する通信デバイスは、自身のローカル近傍における他の通信デバイスに、接続識別子が用いられていることを通知し、接続識別子を取得しようとしている別の通信デバイスによる接続識別子の選択を容易にするために、自身のＣＩＤ送信ユニットにおいて信号をブロードキャストする。
【００３９】
送信要求ブロックに関して、同じグループのメンバーは、同じシンボル送信時間間隔に意図的に位置づけられる。グループの相対的な位置は、スロット毎に、送信要求ブロック内で変わることができる。
【００４０】
この例において、送信スロット１送信要求ブロック７０４の第１のＯＦＤＭシンボル・リソース７１４は、グループＡに割り当てられる。送信スロット１送信要求ブロック７０４の第２のＯＦＤＭシンボル・リソース７１６は、グループＢに割り当てられる。送信スロット１送信要求ブロック７０４の第３のＯＦＤＭシンボル・リソース７１８は、グループＣに割り当てられる。送信スロット１送信要求ブロック７０４の第４のＯＦＤＭシンボル・リソース７２０は、グループＤに割り当てられる。送信スロット１送信要求ブロック７０４の第５のＯＦＤＭシンボル・リソース７２２は、グループＥに割り当てられる。送信スロット１送信要求ブロック７０４の第６のＯＦＤＭシンボル・リソース７２４は、グループＦに割り当てられる。
【００４１】
この例において、送信スロットＮ送信要求ブロック７０６の第１のＯＦＤＭシンボル・リソース７２６は、グループＦに割り当てられる。送信スロットＮ送信要求ブロック７０６の第２のＯＦＤＭシンボル・リソース７２８は、グループＡに割り当てられる。送信スロットＮ送信要求ブロック７０６の第３のＯＦＤＭシンボル・リソース７３０は、グループＤに割り当てられる。送信スロットＮ送信要求ブロック７０６の第４のＯＦＤＭシンボル・リソース７３２は、グループＥに割り当てられる。送信スロットＮ送信要求ブロック７０６の第５のＯＦＤＭシンボル・リソース７３４は、グループＢに割り当てられる。送信スロットＮ送信要求ブロック７０６の第６のＯＦＤＭシンボル・リソース７３６は、グループＣに割り当てられる。
【００４２】
この例において、例えばグループ内の識別のＣＩＤに関連付けられたトーンのような縦の順位は、例えば、ネットワーク内の通信デバイスに知られているトーン・ホッピング・シーケンスに従って、スロットごとに変わることができることが、識別のグループに対応して観察されうる。
【００４３】
図８は、接続識別子を取得しようとしている通信デバイスによって検出及び測定された典型的な接続ＩＤブロードキャスト信号を示す図８００である。図８００は、図７の典型的な接続ＩＤリソース７０２と、接続ＩＤリソース７０２に対応する典型的な検出済み接続ＩＤブロードキャスト信号を示すブロック８０２とを含む。通信デバイスは、ＣＩＤ３、５、１０、１３、１４、１５、１７、１８、２１、２３、２４及び２６に対応するブロードキャスト接続ＩＤ信号を検出することが観察されうる。これは、ＣＩＤ１、２、４、６、７、８、９、１１、１５、１６、１９、２０、２２、２５、２７、２８、２９及び３０が、現在ローカルに利用可能であることを意味する。
【００４４】
この実施形態において、通信デバイスは、グループ内の検出された使用済み接続識別子信号の数、及び検出された接続識別子信号に対応する測定された電力情報を用いて、候補ＣＩＤを識別する。この例では、グループＡにおいて２つのＣＩＤが検出され、グループＢにおいて１つのＣＩＤが検出され、グループＣにおいて３つのＣＩＤが検出され、グループＤにおいて２つのＣＩＤが検出され、グループＥにおいて３つのＣＩＤが検出され、グループＦにおいて１つのＣＩＤが検出された。各グループについて検出されたＣＩＤ信号の数に基づいて、例えば予め定められた最小閾値を超えると、通信デバイスは、自身の選択を、各々が１つの検出されたＣＩＤ信号を有するグループＢ又はグループＦ何れかのローカルに利用可能なＣＩＤに限定する。グループＦのＣＩＤ２６に対応する信号の、検出され測定された電力レベルは、グループＢのＣＩＤ１０に対応する信号の、検出され測定された電力レベルより低い。よって、通信デバイスは、矢印８０４によって示されるように、グループＦのローカルに利用可能な接続識別子（ＣＩＤ２７、ＣＩＤ２８、ＣＩＤ２９、及びＣＩＤ３０）が候補ＣＩＤとして指定されることを決定する。
【００４５】
通信デバイスは更に、自身の新たな接続に用いるために、ＣＩＤ２７、ＣＩＤ２８、ＣＩＤ２９、ＣＩＤ３０のセットからＣＩＤを１つ選択する。いくつかの実施形態において、この選択は、擬似ランダム選択を含む。いくつかの実施形態において、この選択は、第２の通信デバイスとのネゴシエーション及び／又はシグナリングを含み、第１及び第２の通信デバイスは、接続のエンドポイントにある。取得された接続は、後続するトラヒック・スロットにおいて、第１及び第２の通信デバイスによって用いられ、例えば、送信要求を伝達するためにどのトラヒック送信要求ユニットを用いるか、また要求応答信号を送信するためにどのトラヒック送信要求応答ユニットを用いるかを各スロットにおいて識別する。
【００４６】
図９は、２つの無線端末（ＷＴ  Ａ９０２、ＷＴ  Ｂ９０４）が接続識別子の選択に参加している接続取得の例を示す図９００を含む。ＷＴ  Ａ９０２及びＷＴ  Ｂ９０４は、異なる場所に位置しているので、異なるブロードキャスト接続ＩＤ信号を検出し、及び／又は、検出されたブロードキャストＣＩＤ信号の異なる受信電力レベルを測定する。ブロック９０６は、ＣＩＤブロック７０２においてＷＴ  Ａ９０２によって検出されたブロードキャストＣＩＤ信号を示し、ブロック９０８は、ＣＩＤブロック７０２においてＷＴ  Ｂ９０４によって検出されたブロードキャストＣＩＤ信号を示す。
【００４７】
この例において、ＷＴ  Ａ９０２は、ＣＩＤ３、５、１０、１２、１４、１７、１８、２１、２３、２４及び２６に対応するＣＩＤ信号を検出する。その結果ＷＴ  Ａ９０２は、ＣＩＤ１、２、４、６、７、８、９、１１、１３、１５、１６、１９、２０、２２、２５、２７、２８、２９及び３０がローカルに利用可能であるとみなす。ＷＴ  Ａ９０２はまた、グループＡにおいて２つのＣＩＤが用いられており、グループＢにおいて１つのＣＩＤが用いられており、グループＣにおいて２つのＣＩＤが用いられており、グループＤにおいて２つのＣＩＤが用いられており、グループＥにおいて３つのＣＩＤが用いられており、グループＦにおいて１つのＣＩＤが用いられていることを認識する。グループ毎に受信されたＣＩＤ信号の数に基づくと、グループＢ又はグループＦが最良の選択である。ＷＴ  Ａ９０２はまた、検出されたＣＩＤ信号の電力レベルを測定し、１つ又は複数のグループに対応する選好（preference）信号値及び／又は品質インジケータを生成する。この例において、ＷＴ  Ａ９０２は、ｉ）グループＢの場合、ＣＩＤ６、７、８及び９がローカルに利用可能であり、品質インジケータ及び／又は選好値（preference value）は０であることと、ｉｉ）グループＦの場合、ＣＩＤ２７、２８、２９及び３０がローカルに利用可能であり、品質インジケータ及び／又は選好値は１であること、とを示す候補接続情報を生成する。与えられた他の状態が同じである場合、品質インジケータ及び／又は選好値がより高い方がより良い選択である。ＣＩＤ２６に関して検出された信号は、ＣＩＤ１０に関して検出されたＣＩＤ信号より弱かったことを留意されたい。
【００４８】
この例において、ＷＴ  Ｂ９０４は、ＣＩＤ３、５、１０、１２、１３、１４、１７、１８、２３、２４及び２６に対応するＣＩＤ信号を検出する。その結果、ＷＴ  Ｂ９０４は、ＣＩＤ１、２、４、６、７、８、９、１１、１５、１６、１９、２０、２１、２２、２５、２７、２８、２９及び３０がローカルに利用可能であるとみなす。ＷＴ  Ｂ９０４はまた、グループＡにおいて２つのＣＩＤが用いられており、グループＢにおいて１つのＣＩＤが用いられており、グループＣにおいて３つのＣＩＤが用いられており、グループＤにおいて２つのＣＩＤが用いられており、グループＥにおいて２つのＣＩＤが用いられており、グループＦにおいて１つのＣＩＤが用いられていることを認識する。グループ毎に受信されたＣＩＤ信号の数に基づくと、グループＢ又はグループＦが最良の選択である。ＷＴ  Ｂ９０４はまた、ｉ）グループＢの場合、ＣＩＤ６、７、８及び９がローカルに利用可能であり、品質インジケータ及び／又は選好値は０であることと、ｉｉ）グループＦの場合、ＣＩＤ２７、２８、２９及び３０が利用可能であり、品質インジケータ及び／又は選好値は０であること、とを示す候補接続情報を生成する。ＣＩＤ２６に関して検出された信号は、ＣＩＤ１０に関して検出されたＣＩＤ信号と実質的に同一であることを留意されたい。
【００４９】
少なくともいくつかの候補接続情報が、ＷＴ  Ａ９０２とＷＴ  Ｂ９０４との間で交換され、接続識別子が選択される。例えば、１つの実施形態において、ＷＴ  Ａ９０２は、候補接続情報９１０をＷＴ  Ｂ９０４へ通信する。ＷＴ  Ｂは、自身の候補接続情報のセット９１２と、受信したセット９１０とを比較し、どちらのリストにも挙がっているグループＢからの候補が最良の選択となることを認識する。そこでＷＴ  Ｂ９０４は、ＣＩＤ２７、２８、２９及び３０のうちの１つを選択する。例えば、ＷＴ  Ｂは、ＣＩＤ２９を擬似ランダムに選択する。例えば、両方の候補リストに挙がっている好適なグループにおける最低の利用可能なＣＩＤを選択する等、他の最終選択に達することも可能である。ＷＴ  Ｂ９０４は、自身の選択をＷＴ  Ａ９０２へ通信する。ＷＴ  Ａ９０２及びＷＴ  Ｂ９０４はその後、後続するトラヒック・スロットにおいて新たに取得された接続識別子を用いて、例えば、どのトラヒック送信要求ユニットを用いるかを識別する。
【００５０】
様々な実施形態の技術が、ソフトウェア、ハードウェア、及び／又はソフトウェアとハードウェアとの組み合わせを用いて実現されうる。様々な実施形態は、例えばモバイル・アクセス端末のようなモバイル・ノード、１つ又は複数の接続ポイントを含む基地局、及び／又は通信システムのような装置に関する。様々な実施形態はまた、例えば、モバイル・ノード、基地局、及び／又は例えばホストのような通信システムを制御する及び／又は動作させる方法に関する。様々な実施形態はまた、例えばコンピュータのような機械や、方法の１つ又は複数のステップを実行するように機械を制御するための機械読取可能命令を含む例えばＲＯＭ、ＲＡＭ、ＣＤ、ハードディスク等のような読取可能媒体に関する。
【００５１】
開示された処理におけるステップの識別の順序又は序列は、典型的なアプローチの例であることが理解される。設計嗜好に基づいて、処理におけるステップの識別の順序又は序列は、本開示の範囲内に留まったまま並べ替えることができることが理解される。方法請求項は、様々なステップの要素を実例の順序において示しており、示された識別の順序又は序列に限定されることは意味されていない。
【００５２】
様々な実施形態において、本明細書で記述されたノードは、例えば、接続識別送信ユニットのセットにおける個々の接続識別送信ユニットにおいて受信された電力に基づいて、接続識別子のセットからローカルに利用可能な接続識別子を識別すること、識別されたローカルに利用可能な接続識別子を有する各グループについて干渉推定値を決定すること、許容可能な決定された干渉推定値を有するグループに属する識別されたローカルに利用可能な接続識別子から接続識別子を選択すること、等の１つ又は複数の方法に対応するステップを実行するために１つ又は複数のモジュールを用いて実現される。従って、いくつかの実施形態において、様々な特徴はモジュールを用いて実現される。そのようなモジュールは、ソフトウェア、ハードウェア、又はソフトウェアとハードウェアとの組み合わせを用いて実現されうる。上述した方法又は方法のステップの多くは、例えばＲＡＭ、フロッピー（登録商標）・ディスク等のメモリ・デバイスのような機械読取可能媒体に含まれるソフトウェアのような機械実行可能命令を用いて実行され、例えば追加のハードウェアを有する又は有さない汎用コンピュータのような機械を制御し、例えば１つ又は複数のノードにおいて、上述した方法の全部又は一部を実行することができる。更に、様々な実施形態は特に、例えばプロセッサ及びそれに関連付けられたハードウェアのような機械に、上述した方法のステップのうちの１つ又は複数を実行させる機械実行可能命令を含む機械読取可能媒体に向けられる。いくつかの実施形態は、本発明の１つ又は複数の方法のステップのうちの１つ、複数又は全てを実行するように構成されたプロセッサを含む例えば通信デバイスのようなデバイスに向けられる。
【００５３】
いくつかの実施形態は、コンピュータ又は複数のコンピュータに、例えば上述した１つ又は複数のステップのような様々な機能、ステップ、動作及び／又はオペレーションを実行させるコードを備えたコンピュータ読取可能媒体を備えるコンピュータ・プログラム製品に向けられる。実施形態によっては、コンピュータ・プログラム製品は、実行される各ステップについて異なるコードを含むことができ、時として含む。従って、コンピュータ・プログラム製品は、例えば通信デバイス又はノードを制御する方法のような方法の個々のステップの各々のためのコードを含むことができ、時として含む。コードは、例えばＲＡＭ（ランダム・アクセス・メモリ）、ＲＯＭ（読取専用メモリ）又はその他のタイプの記憶デバイスのようなコンピュータ読取可能媒体に格納された機械（例えばコンピュータ）実行可能命令の形式であることができる。コンピュータ・プログラム製品に向けられることに加え、いくつかの実施形態は、上述した１つ又は複数の方法の様々な機能、ステップ、動作、及び／又はオペレーションのうちの１つ又は複数を実行するように構成されたプロセッサに向けられる。従って、いくつかの実施形態は、本明細書に記述された方法のステップのうちのいくつか又は全てを実行するように構成された、例えばＣＰＵのようなプロセッサに向けられる。プロセッサは、例えば本明細書に記述された通信デバイス又はその他のデバイスにおいて用いられうる。
【００５４】
いくつかの実施形態において、例えば無線端末等の通信デバイスのような１つ又は複数のデバイスの、例えばＣＰＵのようなプロセッサ又は複数のプロセッサは、通信デバイスによって実行されると説明された方法のステップを実行するように構成される。従って、全てではないがいくつかの実施形態は、プロセッサが含まれるデバイスによって実行される上述の様々な方法のステップの各々に対応するモジュールを含むプロセッサを有する、例えば通信デバイスのようなデバイスに向けられる。全てではないがいくつかの実施形態において、例えば通信デバイスのようなデバイスは、プロセッサが含まれるデバイスによって実行される上述の様々な方法のステップの各々に対応するモジュールを含む。モジュールは、ソフトウェア及び／又はハードウェアを用いて実現されうる。
【００５５】
様々な実施形態の方法及び装置のうちの少なくともいくつかは、ＯＦＤＭシステムの文脈で説明されたが、多数の非ＯＦＤＭシステム及び／又は非セルラ・システムを含む広い範囲の通信システムに適用可能である。方法及び装置のうちの少なくともいくつかは、例えばＯＦＤＭ及びＣＤＭＡシグナリング技術を含むシステムのようなハイブリッド・システムに適用可能である。
【００５６】
上記説明の観点から、当業者には、上述した様々な実施形態の方法及び装置に対する多数の更なる変形例が明らかであろう。そのような変形例は、本発明の範囲内であるとみなされるべきである。方法及び装置は、ＣＤＭＡ、直交周波数分割多重（ＯＦＤＭ）、及び／又はアクセス・ノードとモバイル・ノードとの間の無線通信リンクを提供するために用いられうるその他様々なタイプの通信技術とともに用いられることができ、様々な実施形態においてそのように用いられる。いくつかの実施形態において、アクセス・ノードは、ＯＦＤＭ及び／又はＣＤＭＡを用いてモバイル・ノードとの通信リンクを確立する基地局として実現される。様々な実施形態において、モバイル・ノードは、方法を実現するための受信機／送信機回路及びロジック及び／又はルーチンを含む、ノートブック・コンピュータ、パーソナル・データ・アシスタント（ＰＤＡ）、又はその他のポータブル・デバイスとして実現される。
【図１】
0005350480.tif 000002
【図２】
0005350480.tif 000003
【図３】
0005350480.tif 000004
【図４】
0005350480.tif 000005
【図５】
0005350480.tif 000006
【図６】
0005350480.tif 000007
【図７】
0005350480.tif 000008
【図８】
0005350480.tif 000009
【図９】
0005350480.tif 000010